(57)【特許請求の範囲】
【請求項１】
浴槽湯水を追い焚き循環通路を通して循環させるための循環ポンプを備えた風呂装置内に、循環ポンプ駆動による浴槽湯水の循環流量制御に必要なデータを記憶するポンプデータメモリ部と循環ポンプに通電している電流を検出する電流検出手段とを設け、該風呂装置の外部に該風呂装置の前記追い焚き循環通路を循環する湯水の流量を検出する基準循環流量検出手段を設け、前記循環ポンプの駆動入力を可変させながら循環ポンプを駆動させて浴槽湯水を追い焚き循環通路を通して循環させたときの前記電流検出手段の検出電流に基づき求められる循環ポンプの消費電力と前記基準循環流量検出手段の検出流量との関係データを求めて該データを循環ポンプ特性データとして前記ポンプデータメモリ部に記憶させることを特徴とする風呂装置の循環ポンプ特性データ記憶方法。
【請求項２】
浴槽湯水を追い焚き循環通路を通して循環させるための循環ポンプを備えた風呂装置であって、循環ポンプ駆動による浴槽湯水の循環流量制御に必要なデータを記憶するポンプデータメモリ部と循環ポンプに通電している電流を検出する電流検出手段とを有し、該電流検出手段により検出された検出電流に基づき求められる循環ポンプの消費電力と請求項１記載の循環ポンプ特性データ記憶方法を用いて記憶した循環ポンプ特性データとに基づいて追い焚き循環通路を通る循環湯水の流量を検出する循環流量検出部を有し、循環ポンプ特性データから得られる電力情報に基づき追い焚き循環通路を通る浴槽湯水の循環流量制御を行う制御部を有することを特徴とする風呂装置。
【発明の詳細な説明】
【０００１】
【発明の属する技術分野】
本発明は、浴槽湯水を追い焚き循環通路を通して循環させるための循環ポンプを備えた風呂装置の循環ポンプ特性データ記憶方法およびその方法を用いて記憶した循環ポンプ特性データを利用する風呂装置に関するものである。
【０００２】
【従来の技術】
図４には循環ポンプを備えた風呂装置の一例が示されている。この図４に示す風呂装置は、追い焚き等の風呂機能に加えて、給湯や、浴槽の湯張り等の給湯機能を備えた風呂装置であり、追い焚き熱交換器２と、給湯熱交換器１０とを器具ケース３内に有し、上記追い焚き熱交換器２と給湯熱交換器１０は一体化され、これら一体化した追い焚き熱交換器２と給湯熱交換器１０を共通に燃焼加熱するバーナが設けられている一缶二水路タイプのものである。
【０００３】
上記追い焚き熱交換器２の一端側には往管１１の一端側が接続され、該往管１１の他端側は外部配管６を介して浴槽７に連通されている。また、追い焚き熱交換器２の他端側には通路１２の一端側が接続され、この通路１２の他端側は循環ポンプ１４の吐出口側に接続され、循環ポンプ１４の吸込口側には戻り管１５の一端側が接続され、戻り管１５の他端側は外部配管８を介して浴槽７に連通されている。上記往管１１と追い焚き熱交換器２と通路１２と循環ポンプ１４と戻り管１５により追い焚き循環通路１６が構成されている。
【０００４】
上記給湯熱交換器１０の一端側には給水通路１７の一端側が接続され、給水通路１７の他端側は外部配管を介して水供給源に導かれている。さらに、給湯熱交換器１０の他端側には給湯通路１８の一端側が接続され、給湯通路１８の他端側は外部配管を介して台所やシャワー等の給湯場所に導かれている。
【０００５】
また、上記給湯通路１８と前記往管１１を連通する注湯通路２０が設けられており、この注湯通路２０には通路の開閉を行う注湯制御弁２２が介設されていると共に、浴槽７の水位を水圧により検出する水位センサ２４が設けられている。上記給湯熱交換器１０から注湯通路２０との接続部に至るまでの給湯通路１８の部分と注湯通路２０と追い焚き通路１６により湯張り通路が構成されており、この湯張り通路を介して給湯熱交換器１０は浴槽７に連通されている。
【０００６】
なお、図中に示す２５は追い焚き通路１６の湯水温を浴槽７の湯水温として検出する風呂温度センサであり、２６は給湯熱交換器１０により作り出された湯温を検出する出湯サーミスタであり、２７は給水通路１７の通水流量を検知する水量センサである。
【０００７】
この風呂装置には器具運転を制御する制御装置２８が設けられており、この制御装置２８にはリモコン３０が接続され、このリモコン３０には、風呂の温度を設定する風呂温度設定手段や、浴槽水位を設定する風呂水位設定手段や、給湯温度を設定する給湯温度設定手段等が設けられている。上記制御装置２８には器具運転動作を制御するためのシーケンスプログラムが予め与えられており、制御装置２８は水位センサ２４等の様々なセンサのセンサ出力の情報や、リモコン３０の情報を取り込み、それら取り込んだ情報に基づき上記シーケンスプログラムに従って給湯や湯張りや追い焚き等の器具運転制御を次のように行う。
【０００８】
例えば、台所やシャワー等の給湯栓（図示せず）が開けられて、水量センサ２７が給水通路１７の通水を検知すると、バーナーの燃焼を開始させ、予め定められた給湯設定温度の湯を給湯することができるように燃焼能力を制御し、バーナーの燃焼火炎の熱により給湯熱交換器１０の通水を加熱して湯を作り出し、この湯を給湯通路１８を通して出湯場所に給湯する。そして、上記給湯栓が閉められ、水量センサ２７が給水通路１７の通水停止を検知すると、バーナーの燃焼を停止して給湯運転を終了し、次の給湯に備える。
【０００９】
また、湯張り運転を行うときには、注湯制御弁２２を開弁し、上記の如く、給湯熱交換器１０で作り出した湯を給湯通路１８と注湯通路２０と追い焚き通路１６を順に介して浴槽７に注湯し、水位センサ２４により検出出力される浴槽水位が予め定められた設定の浴槽水位に達したと判断したときに注湯制御弁２２を閉弁すると共にバーナ燃焼を停止して湯張り運転を終了する。
【００１０】
さらに、追い焚き運転を行うときには、循環ポンプ１４を駆動して浴槽７の湯水を戻り管１５と循環ポンプ１４と通路１２と追い焚き熱交換器２と往管１１とを順に通して浴槽７に戻す浴槽水の循環を行うと共に、バーナーを燃焼させ、このバーナーの燃焼火炎の熱により追い焚き熱交換器２の循環湯水を加熱することによって浴槽湯水の追い焚きが行われる。そして、風呂温度センサ２５により検出された風呂温度が予め定めた設定の風呂温度に達したと判断したときにバーナー燃焼を停止すると共に循環ポンプを停止して上記追い焚き運転を終了することにより、設定の風呂温度に湯を沸かすことができる。
【００１１】
【発明が解決しようとする課題】
ところで、上記のような一缶二水路タイプの風呂装置においては、例えば、追い焚き熱交換器２側と給湯熱交換器１０側の吸熱比率に基づいて、給湯と風呂の追い焚きの同時燃焼時の燃焼制御が行われ、そのためには、追い焚き循環通路１６を通る湯水の循環流量の測定および制御が不可欠となる。そこで、例えば、特開平１−３１４８４５号公報には、追い焚き循環通路１６にボール式水量センサを設けて追い焚き循環通路１６を通る湯水の循環流量を測定し、前記吸熱比率を演算し、給湯側の出湯温度の安定化のために、追い焚き循環通路１６の湯水循環流量を制御する方法が提案されている。
【００１２】
しかしながら、追い焚き循環通路１６を通る浴槽湯水には髪の毛やゴミ等が多く含まれているために、ボール式水量センサなどのセンサに髪の毛やゴミ等が絡み付き、測定される浴槽湯水の循環流量が不正確な値になりがちであった。そのため、この不正確なデータに基づいて追い焚き循環通路１６の湯水循環流量を制御すると、給湯側の出湯温度が不正確となり、出湯温度安定化制御がうまく行かずに、例えば、シャワーを浴びている人に熱湯がかかる等の危険や不具合が生じてしまうことが分かった。
【００１３】
本発明は上記課題を解決するためになされたものであり、その目的は、循環ポンプ個々ごとに異なる湯水循環効率により不正確になりがちな追い焚き循環通路の湯水循環流量制御を正確に行えるようにする風呂装置の循環ポンプ特性データ記憶方法およびその方法を用いて記憶した循環ポンプ特性データを利用する風呂装置を提供することにある。
【００１４】
【課題を解決するための手段】
上記目的を達成するために、本発明は次のような構成をもって課題を解決するための手段としている。すなわち、本発明の風呂装置の循環ポンプ特性データ記憶方法は、浴槽湯水を追い焚き循環通路を通して循環させるための循環ポンプを備えた風呂装置内に、循環ポンプ駆動による浴槽湯水の循環流量制御に必要なデータを記憶するポンプデータメモリ部と循環ポンプに通電している電流を検出する電流検出手段とを設け、該風呂装置の外部に該風呂装置の前記追い焚き循環通路を循環する湯水の流量を検出する基準循環流量検出手段を設け、前記循環ポンプの駆動入力を可変させながら循環ポンプを駆動させて浴槽湯水を追い焚き循環通路を通して循環させたときの前記電流検出手段の検出電流に基づき求められる循環ポンプの消費電力と前記基準循環流量検出手段の検出流量との関係データを求めて該データを循環ポンプ特性データとして前記ポンプデータメモリ部に記憶させる構成をもって課題を解決するための手段としている。
【００１５】
また、本発明の風呂装置は、浴槽湯水を追い焚き循環通路を通して循環させるための循環ポンプを備えた風呂装置であって、循環ポンプ駆動による浴槽湯水の循環流量制御に必要なデータを記憶するポンプデータメモリ部と循環ポンプに通電している電流を検出する電流検出手段とを有し、該電流検出手段により検出された検出電流に基づき求められる循環ポンプの消費電力と請求項１記載の循環ポンプ特性データ記憶方法を用いて記憶した循環ポンプ特性データとに基づいて追い焚き循環通路を通る循環湯水の流量を検出する循環流量検出部を有し、循環ポンプ特性データから得られる電力情報に基づき追い焚き循環通路を通る浴槽湯水の循環流量制御を行う制御部を有する構成をもって課題を解決するための手段としている。
【００１６】
上記構成の本発明において、循環ポンプの駆動入力を可変させながら循環ポンプを駆動させて、浴槽湯水を追い焚き循環通路を通して循環させると、循環ポンプの通電電流は変化し、また、追い焚き循環通路の湯水循環流量も変化する。そして、このときの風呂装置内の電流検出手段の検出電流に基づき循環ポンプの消費電力が求められ、一方、風呂装置の外部に設けられた基準循環流量検出手段によって追い焚き循環通路を通る湯水循環流量が検出され、この検出流量と前記循環ポンプの消費電力との関係データが求められ、このデータが循環ポンプ特性データとして風呂装置内のポンプデータメモリ部に記憶させられる。
【００１７】
このように、循環ポンプの特性が、循環ポンプの消費電力と風呂装置の外部に設けられる正確な流量検出可能な基準循環流量検出手段の検出流量との関係データにより記憶させられるために、個々の風呂装置の循環ポンプ毎の消費電力に対応した追い焚き循環通路の湯水循環流量を正確に得ることが可能となり、この循環ポンプ特性データに基づき、追い焚き循環通路を通る浴槽湯水の循環流量制御を行うことにより、浴槽湯水の循環流量制御を正確に行うことが可能となり、上記課題が解決される。
【００１８】
【発明の実施の形態】
以下、本発明の実施の形態を図面に基づいて説明する。なお、本実施形態例の説明において、従来例と同一名称部分には同一符号を付し、その重複説明は省略する。図１には、本発明に係る風呂装置の循環ポンプ特性データ記憶方法を用いて風呂装置に特性データを記憶させる装置および風呂装置の制御構成の一例が示されており、図２にはそのシステム構成が示されている。なお、図２において、風呂装置には、循環ポンプ１４に通電している電流を検出する電流検出手段としての電流計３９が設けられており、これ以外の構成は、図４に示した風呂装置のシステム構成と同様であるのでその重複説明は省略する。
【００１９】
図１，２に示されるように、風呂装置の外部には、風呂装置の追い焚き循環通路１６を循環する湯水の流量を検出する基準循環流量検出手段としての、正確な流量検出可能な基準循環流量センサ１３が設けられており、基準循環流量センサ１３はデータ書き込み装置４０に接続されている。データ書き込み装置４０は、関係データ作製部４１とデータ書き込み部４３を有しており、風呂装置内の電流計３９と電圧供給手段３１と制御装置２８に接続されている。風呂装置内の制御装置２８は、追い焚き燃焼制御部３４、給湯燃焼制御部３５、データメモリ部３６、循環流量検出部３８を有して構成されている。
【００２０】
データメモリ部３６は、電気信号によって書き込みと消去が可能なＥＥＰＲＯＭ等の不揮発性のメモリによって構成されており、追い焚き燃焼制御部３４によって行われる追い焚き燃焼制御に必要な様々なデータが格納されている。また、本実施形態例では、データメモリ部３６は、この追い焚き燃焼制御に必要なデータの１つとしての、循環ポンプ駆動による浴槽湯水の循環流量制御に必要なデータを記憶するポンプデータメモリ部として機能するものである。
【００２１】
関係データ作製部４１は、風呂装置の追い焚き燃焼制御部３４に循環ポンプ１４の駆動指令を出力し、この指令によって循環ポンプ１４の駆動入力を可変させながら循環ポンプ１４を駆動させて、浴槽湯水を追い焚き循環通路１６を通して循環させる。そして、このときの電流計３９の検出電流Ｉp と電圧供給手段３１により循環ポンプ１４に供給される供給電圧Ｖp とに基づき、循環ポンプ１４の消費電力Ｗp を、Ｗp ＝Ｖp ×Ｉp の式により求め、一方、基準循環流量センサ１３によって検出される追い焚き循環通路１６の湯水循環流量を取り込み、循環ポンプ１４の消費電力と基準循環流量センサ１３の検出流量との関係データを求める。この関係データは、例えば図３に示すようなグラフデータや、表データ、演算データ等のデータ形式で求められ、作製される。
【００２２】
データ書き込み部４３は、前記関係データ作製部４１で作製した循環ポンプ１４の消費電力と基準循環流量センサ１３の検出流量との関係データを、循環ポンプ特性データとしてデータメモリ部３６にデータを書き込み記憶させるものである。
【００２３】
本実施形態例では、以上のように、風呂装置内にポンプデータメモリ部と循環ポンプ１４の通電電流検出用の電流計３９を設け、風呂装置の外部に基準循環流量センサ１３を設け、循環ポンプ１４の駆動入力を可変させながら循環ポンプ１４を駆動させて浴槽湯水を追い焚き循環通路１６を通して循環させたときの、電流計３９の検出電流に基づき求められる循環ポンプ１４の消費電力と基準循環流量センサ１３の検出流量との関係データを関係データ作製部４１で作製し、データ書き込み部４３によりデータメモリ部３６に記憶させることを特徴としている。そして、風呂装置は、この記憶した循環ポンプ特性データを利用して風呂の追い焚き制御などを行うことを特徴としている。
【００２４】
この循環ポンプ特性データを利用した追い焚き燃焼制御を行うに際し、本実施形態例では、風呂装置の制御装置２８に循環流量検出部３８を設けている。循環流量検出部３８は、データメモリ部３６に記憶した循環ポンプ特性データと、電流計３９により検出された検出電流とに基づいて追い焚き循環通路１６を通る循環湯水の流量を検出するものである。
【００２５】
循環流量検出部３８は、電流計３９により検出された循環ポンプ１４の通電電流Ｉp と、電圧供給手段３１により循環ポンプ１４に供給された供給電圧Ｖp とを時々刻々と取り込み、それら供給電圧Ｖp と通電電流Ｉp とを取り込む度に、その取り込んだ供給電圧Ｖp と通電電流Ｉp とに基づき、循環ポンプ１４の消費電力Ｗp を検出する。つまり、上記供給電圧Ｖp に通電電流Ｉp を乗算して得られる値（Ｖp ×Ｉp ）を循環ポンプ１４の消費電力Ｗp として検出する。そして、その循環ポンプ１４の消費電力Ｗp と上記データメモリ部３６の循環ポンプ特性データとに基づき、追い焚き循環通路１６の湯水循環流量を検出する。
【００２６】
具体的には、循環ポンプ特性データが図３に示すようなグラフデータや、表データである場合には、循環ポンプ１４の消費電力Ｗp を循環ポンプ特性データに照らし合わせ、例えば、循環ポンプ１４の消費電力が図３に示すＷa であるときには、その消費電力Ｗa に対応する循環湯水流量はＱa であるというように、追い焚き循環通路１６の循環湯水流量を検出する。循環ポンプ特性データが、循環ポンプ１４の消費電力Ｗp をパラメータとして追い焚き循環通路１６の循環湯水流量を求めるための演算式データである場合には、循環ポンプ１４の消費電力Ｗp を上記循環ポンプ特性データ（演算式）に代入して、追い焚き循環通路１６の循環湯水流量を演算算出する。なお、循環ポンプ１４の消費電力ゼロが検出されているときには、循環湯水流量ゼロを検出する。
【００２７】
以下に、追い焚き循環通路１６の湯水循環流量を利用した燃焼制御動作の一例を示す。
【００２８】
給湯燃焼制御部３５は、給湯や湯張り等の給湯機能の運転動作制御を行うものであり、給湯燃焼制御部３５には、上記給湯や湯張りのシーケンスプログラムが予め定められており、給湯燃焼制御部３５は、リモコン３０の情報や、水量センサ２７等のセンサ出力を取り込み、それら取り込んだ情報と、上記シーケンスプログラムに基づき、前述したように、給湯や湯張りの運転を制御する。
【００２９】
上記追い焚き燃焼制御部３４は、リモコン３０の情報や、給湯燃焼制御部３５の動作情報を取り込み、追い焚き指令信号を発せられたことを検知すると、電圧供給手段３１により循環ポンプ１４に予め定められた設定の電圧（例えば、１００Ｖ）を供給し、循環ポンプ１４の駆動を開始させる。
【００３０】
また、追い焚き燃焼制御部３４は、上記循環流量検出部３８の流量検出情報を時々刻々と取り込み、循環流量検出部３８により、予め定められた追い焚き作動流量（例えば、２．５リットル／min ）未満の流量が検出されたときには、追い焚き循環通路１６は通水オフ状態であると判断し、循環流量検出部３８によって上記追い焚き作動流量以上の流量が検出されたときには追い焚き循環通路１６は通水オン状態であると判断する。
【００３１】
データメモリ部３６には、追い焚き循環通路１６の循環湯水流量と、浴槽湯水温度とに基づき、追い焚き時のバーナの要求燃焼能力を決定するための追い焚き燃焼能力決定データが予め定めてグラフデータや表データや演算式データ等のデータ形式で格納されている。
【００３２】
追い焚き燃焼制御部３４は、上記の如く、追い焚き循環通路１６の通水オンを検知した後に、追い焚きのバーナ燃焼制御を開始し、上記循環流量検出部３８により検出された追い焚き循環通路１６の循環湯水流量と、風呂温度センサ２５により検出された浴槽７の湯水温度と、上記データメモリ部３６の追い焚き燃焼能力決定データとに基づいて求めた追い焚き要求燃焼能力となるように、バーナ燃焼を制御する。
【００３３】
ところで、給湯と追い焚きが共に行われている同時燃焼中に、予め定められた給湯設定温度の湯を給湯するために必要な給湯要求燃焼能力と、上記の如く求められる追い焚き要求燃焼能力とを合計した燃焼能力が予め定まる風呂装置の最大燃焼能力を越えてしまう場合には、給湯優先の燃焼制御が行われる。つまり、一缶二水路タイプの風呂装置では、給湯要求燃焼能力と追い焚き要求燃焼能力との合計燃焼能力が最大燃焼能力を越えた場合には、最大燃焼能力から給湯要求燃焼能力を差し引いた残りの燃焼能力で追い焚き燃焼制御が行われる。
【００３４】
追い焚き燃焼制御部３４は、給湯燃焼制御部３５の動作情報を取り込み、該情報に基づき、給湯と追い焚きが共に行われる同時燃焼であることを検知し、上記給湯燃焼制御部３５から得られる給湯要求燃焼能力と、追い焚き要求燃焼能力との合計の燃焼能力が、予め定まる風呂装置の最大燃焼能力を越えていると判断したときには、風呂装置の最大燃焼能力から給湯要求燃焼能力を差し引いて追い焚きに利用可能な追い焚き要求燃焼能力を求め、該追い焚き要求燃焼能力と、風呂温度センサ２５により検出される浴槽７の湯水温度と、以下に示す循環流量データとに基づき、同時燃焼中の追い焚き循環通路１６の循環湯水流量を検出する。
【００３５】
上記循環流量データとは、追い焚き要求燃焼能力がＡ、浴槽温度が１８℃であるときには追い焚き循環通路１６の循環湯水流量は６リットル／min というように、追い焚き要求燃焼能力と、浴槽温度との組合せによって、追い焚き循環通路１６の循環湯水流量を求めるためのデータであり、予め定められてデータメモリ部３６に格納されている。
【００３６】
追い焚き燃焼制御部３４は、上記求めた循環湯水流量となるように、前記循環ポンプ特性データを参照し、例えば、追い焚き循環通路１６の湯水循環流量をＱb にしたいときには、まず、追い焚き循環通路１６の湯水循環流量Ｑb に対応する循環ポンプ１４の消費電力情報を循環ポンプ特性データから求める。例えば図３においては、循環流量Ｑb に対応する循環ポンプ消費電力はＷb となる。そして、この電力情報に基づき、そのときの循環ポンプ１４の消費電力がＷa であったとすると、追い焚き燃焼制御部３４は循環ポンプ１４の消費電力をＷa からＷb に可変する。すなわち、追い焚き燃焼制御部３４は、電圧供給手段３１による循環ポンプ１４への供給電圧を可変しながら、電流計３９の検出電流を取り込み、この供給電圧Ｖp と通電電流Ｉp との乗算によって得られる循環ポンプ１４の消費電力がＷb となるように循環ポンプ１４への供給電圧を加えて、それにより追い焚き循環通路通る浴槽湯水の循環流量をＱa からＱb に制御する。
【００３７】
そして、追い焚き燃焼制御部３４は、風呂温度センサ２５により検出される浴槽７の湯水温度が予め定められた風呂設定温度に達したと判断したときに、追い焚き燃焼制御を終了する。
【００３８】
本実施形態例によれば、循環ポンプ１４の駆動入力を可変させながら循環ポンプ１４を駆動させて浴槽湯水を追い焚き循環通路１６を通して循環させ、このときの電流計３９の検出電流に基づいて循環ポンプ１４の消費電力を求め、一方、追い焚き循環通路の循環流量は風呂装置の外部に設けた極めて正確な循環流量センサ１３によって検出し、この検出流量と循環ポンプ１４の消費電力との関係データを求めてこのデータを循環ポンプ特性データとしてデータメモリ部３６に記憶させるために、この記憶したデータと、電流計３９の検出電流に基づき求められる循環ポンプ１４の消費電力とに基づいて追い焚き循環通路１６の湯水循環流量を求めれば、追い焚き循環通路１６の湯水循環流量を簡単に、かつ、極めて正確に得ることができる。
【００３９】
したがって、追い焚き循環通路１６に、通水流量を検出するための流量検出センサ等を設けることなく追い焚き循環通路１６の循環湯水流量を得ることができ、流量検出センサのゴミ詰まりや髪詰まりに起因して追い焚き循環通路１６の湯水循環流量を精度良く検出することができないという問題を解消することができる。そして、各風呂装置毎の循環ポンプ１４に対応した循環ポンプ特性データを利用して、追い焚き循環通路１６を通る浴槽湯水の循環流量制御を行うことにより、正確に循環流量制御を行うことが可能となり、追い焚き燃焼制御と共に、給湯側の出湯温度安定化制御も正確に行うことができる。
【００４０】
なお、本発明は上記実施形態例に限定されることはなく様々な実施の態様を採り得る。例えば、上記実施形態例では、循環ポンプ特性データを作製するときに、関係データ作製部４１は、循環ポンプ１４への供給電圧を電圧供給手段３１から検出し、この検出した供給電圧と電流計３９により検出された循環ポンプ１４の通電電流とに基づき、循環ポンプ１４の消費電力を求めたが、循環ポンプ１４への供給電圧を可変せずに常に予め定めた設定の供給電圧を供給する場合には、循環ポンプ１４への供給電圧が予め定まるので、その設定の供給電圧を関係データ作製部４１に予め与えておき、関係データ作製部４１は与えられた設定の供給電圧と電流計３９の検出電流とに基づき循環ポンプ１４の消費電力を求め、この循環ポンプ１４の消費電力と基準循環流量センサ１３の検出電流との関係データを求めて循環ポンプ特性データを作製してもよい。
【００４１】
また、上記各実施形態例では、循環流量検出部３８は循環ポンプ１４への供給電圧を電圧供給手段３１から検出し、この検出した供給電圧と、電流計３９により検出された循環ポンプ１４の通電電流とに基づき、循環ポンプ１４の消費電力を求めていたが、循環ポンプ１４への供給電圧を可変せずに常に予め定めた設定の供給電圧を供給する場合には、循環ポンプ１４への供給電圧が予め定まるので、上記設定の供給電圧を循環流量検出部３８に予め与えておき、循環流量検出部３８は、電圧供給手段３１から循環ポンプ１４への供給電圧を検出することなく、上記与えられた設定の供給電圧と、電流計３９の検出電流とに基づき、循環ポンプ１４の消費電力を求めるようにしてもよい。
【００４２】
さらに、上記実施形態例では、図２に示す一缶二水路タイプの風呂装置を例にして説明したが、本発明の風呂装置は、図２に示す風呂装置に限定されるものではなく、浴槽湯水を追い焚き循環通路を通して循環させるための循環ポンプを備えていれば、図４に示した装置以外の風呂装置に適用することができる。例えば、追い焚き熱交換器２を燃焼加熱するバーナーと、給湯熱交換器１０を燃焼加熱するバーナーとがそれぞれ別個に設けられている風呂装置や、追い焚きのみを行う追い焚き単機能の風呂装置にも、この発明は適用することができる。
【００４３】
さらに、上記実施形態例では、データ書き込み装置４０を設け、データ書き込み装置４０の関係データ作製部４１が追い焚き燃焼制御部３４に循環ポンプ１４の駆動指令を加え、循環ポンプ１４の駆動入力を可変させながら循環ポンプ１４を駆動させて循環ポンプ特性データを作製するようにしたが、例えば風呂装置のリモコン３０の操作などによって循環ポンプ１４の駆動入力を可変させながら循環ポンプ１４を駆動させ、このときの電流計３９の検出電流に基づき求められる循環ポンプ１４の消費電力と基準循環流量センサ１３の検出流量との関係データを求めて循環ポンプ特性データを作製してもよい。
【００４４】
さらに、上記実施形態例では、データ書き込み装置４０に関係データ作製部４１とデータ書き込み部４３を設け、関係データ作製部４１で作製した循環ポンプ特性データをデータ書き込み部４３によって風呂装置のデータメモリ部３６に書き込むようにしたが、例えば関係データ作製部４１で作製した循環ポンプ特性データを、風呂装置のリモコン３０の操作等によってデータメモリ部３６に書き込むようにしてもよい。
【００４５】
さらに、上記実施形態例では、データ書き込み装置４０の関係データ作製部４１によって循環ポンプ特性データを作製したが、例えば、循環ポンプ１４の駆動入力を可変させながら循環ポンプ１４を駆動させて浴槽湯水を追い焚き循環通路１６を通して循環させたときの、電流計３９の検出電流と基準循環流量センサ１３の検出流量の一方又は両方を人手によって取り込み、電流計の検出電流に基づき求められる循環ポンプ１４の消費電力と基準循環流量センサ１３の検出流量との関係データを人手によって作製し、作製した循環ポンプ特性データをデータメモリ部３６に記憶させるようにしてもよい。
【００４６】
さらに、上記実施形態例では、風呂装置の循環ポンプ１４に通電している電流を検出する電流検出手段として電流計３９を設けたが、電流計３９に代えて、例えば、循環ポンプ１４に印加する電圧（位相制御の場合には位相角）と循環ポンプ１４のコイル温度を測定する温度計情報から循環ポンプ１４の通電電流値を推測して検出する電流検出手段を設けてもよい。
【００４７】
このように、本発明の風呂装置の循環ポンプ特性データ記憶方法は、循環ポンプ１４の駆動入力を可変させながら循環ポンプ１４を駆動させて浴槽湯水を追い焚き循環通路１６を通して循環させたときの、電流検出手段の検出電流に基づき求められる循環ポンプ１４の消費電力と基準循環流量センサ１３の検出流量との関係データを求め、このデータを循環ポンプ特性データとしてデータメモリ部３６等のポンプデータメモリ部に記憶させるようにすればよく、循環ポンプ特性データの作製およびデータの書き込みに用いられる装置は特に限定されるものではなく適宜設定されるものである。ただし、上記実施形態例のように、関係データ作製部４１とデータ書き込み部４３を有するデータ書き込装置４０を風呂装置に接続して循環ポンプ特性データの作製およびデータの書き込みを自動的に行うようにすることで、データの作製および書き込みを短時間で、容易に、かつ、正確に行うことができる。
【００４８】
【発明の効果】
本発明によれば、風呂装置の循環ポンプの駆動入力を可変させながら循環ポンプを駆動させて浴槽湯水を追い焚き循環通路を通して循環させ、このときの循環ポンプの通電電流を電流検出手段によって検出し、この検出電流に基づいて循環ポンプの消費電力を求め、それと同時に、風呂装置の外部に設けた基準循環流量検出手段によって追い焚き循環通路の湯水循環流量を検出し、この検出循環流量と前記循環ポンプの消費電力との関係データを求めて循環ポンプ特性データとするために、風呂装置毎の循環ポンプの消費電力に対応した追い焚き循環通路の湯水循環流量を正確に循環ポンプ特性データとして得ることができる。
【００４９】
そして、この正確な循環ポンプ特性データを風呂装置内のポンプデータメモリ部に記憶させることにより、風呂装置は、例えばこの循環ポンプ特性データと前記電流検出手段により検出された検出電流とに基づいて、追い焚き循環通路を通る循環湯水の流量を正確に検出することが可能となり、循環ポンプ特性データから得られる電力情報に基づいて追い焚き循環通路を通る浴槽湯水の循環流量制御を正確に行うことができる。
【００５０】
そのため、本発明を、追い焚き循環通路を通る湯水を加熱する追い焚き熱交換器と、給水通路から通される水を加熱する給湯熱交換器とが共通のバーナによって加熱される一缶二水路タイプの風呂装置に適用することにより、追い焚きと給湯の同時燃焼時に追い焚き循環通路を通る湯水の循環流量を正確に制御して給湯側の出湯温度の安定化を図ることもできる。
【図面の簡単な説明】
【図１】本発明に係る風呂装置の循環ポンプ特性データ記憶方法を適用させるデータ書き込み装置および風呂装置の一実施形態例の要部制御構成を示すブロック図である。
【図２】上記実施形態例のシステム構成図である。
【図３】循環ポンプ特性データの一例を示すグラフである。
【図４】一缶二水路タイプの風呂装置のモデル例を示すシステム構成図である。
【符号の説明】
１３  基準循環流量センサ
１４  循環ポンプ
１６  追い焚き循環通路
３４  追い焚き燃焼制御部
３６  データメモリ部
３８  循環流量検出部
３９  電流計
４０  データ書き込み装置
４１  関係データ作製部
４３  データ書き込み部
【図１】
0003810187.tif 000002
【図２】
0003810187.tif 000003
【図３】
0003810187.tif 000004
【図４】
0003810187.tif 000005